(57)【要約】      （修正有） 【課題】足の良肢位の保持、痛みの緩和、形状の変形を有効に防止し得る靴下を提供する。【解決手段】靴下１に於いて、靴下の底面として通常の靴下の材料よりも若干形状保持性の大きい材料２を使用するか、又は靴下の底面を２重底とし、この間に材料２を保持せしめ、この靴下の底面の土踏まずに相当する部分３より若干ずれた部分５に別途補強材４を設ける。【選択図】図１
0003107953.tif 000002
【実用新案登録請求の範囲】
【請求項１】
（イ）靴下（１）に於いて、
（ロ）靴下の底面として通常の靴下の材料よりも若干形状保持性の大きい材料（２）を使用するか、又は靴下の底面を２重底とし、この間に上記材料（２）を保持せしめ、
（ハ）この靴下の底面の土踏まずに相当する部分（３）より若干ずれた部分（５）に別途補強材（４）を設けること
を特徴とする靴下
【請求項２】
上記若干形状保持性の大きい材料（２）が通常の足袋生地、靴の下敷、不織布（フエルト）、発砲体、ゴムの少なくとも１種から成る材料である請求項１に記載の靴下
【請求項３】
上記補強材（４）がＥＶＡ、ウレタンポリマー、ポリエチレン、ポリエステル及びポリアミドの少なくとも１種から成る材料である請求項１又は２に記載の靴下
【考案の詳細な説明】
【技術分野】
【０００１】
本考案は靴下に関し、更に詳しくは良肢位の保持、痛みの緩和、形状の変形防止に極めて有効な靴下に関する。
【背景技術】
【０００２】
従来、外反母趾その他の疾病や変形防止のためには、靴に中敷を用いるのが一般的である。たまに靴下に何等かの工夫をしたものがある。この工夫として靴下特にその底面にクッションやパット等を取付けたものが数多く知られている。これ等靴下は原則として外反母趾の治療や予防、足の痛み等を和らげようとするものである。またこれ以外にも健康靴下と称されるものや、足の疲労回復や優れた着用感を賦与しようとする靴下も開発されている。しかし乍ら靴下では、良肢位の保持、痛みの緩和、足の形状の変形の防止に留意したものは無かった。
【考案の開示】
【考案が解決しようとする課題】
【０００３】
本考案が解決しようとする課題は、良肢位の保持、痛みの緩和、足の形状就中足の甲の変形を有効に防止し得る靴下を新たに開発することである。勿論この際同時に外反母趾用としても効果のあるものであっても良い。
【課題を解決するための手段】
【０００４】
この課題は次の手段を採用することにより解決される。即ち
（イ）靴下（１）に於いて、
（ロ）靴下の底面として通常の靴下の材料よりも若干形状保持性の大きい材料（２）を使用するか、又は靴下の底面を２重底とし、この間に、上記材料（２）を保持せしめること
（ハ）この靴下の底面の土踏まずに相当する部分（３）より若干ずれた部分（５）に別途補強材（４）を設けること
によって解決される。
【０００５】
本考案を図面を参照しつつ以下に詳しく説明する。
本考案の特徴の１つは従来の靴下（１）に於いて、その底面部（６）として通常の靴下の材料に比し若干形状保持性の優れた材料（２）を使用することである。この材料（２）を使用することにより、靴下を装着した場合、靴下の底面部が通常の靴下に比し足に固定され易く、靴下の底面部が足の裏から簡単に移動し難くなって固定されることとなる。即ち靴下の底面部を足の裏にキッチリと固定出来る。
【０００６】
この材料（２）は、同じく靴下の底面（６）の一部に別途設けられる補強材（４）と相まって、良肢位の保持、痛みの緩和、及び足の形状を保持し、その変形を有効に防止することが出来る。
【０００７】
この材料（２）は靴下（１）の底面そのものをこの材料（２）で製造しても良いし、また従来の靴下（１）の底面の外側または内側いずれか一方に新たに設けても良い。
【０００８】
本考案に於いてはこの材料（２）は靴下の底面（６）全面に設けることを原則とするが、靴下を着用したときに靴下の底面（６）が容易に簡単に移動しないかぎり、靴下の底面（６）全面に亘って設けることを要しない。
【０００９】
本考案のもう一つの特徴は、通常の従来の靴下を２重底とし、この間に上記材料（２）を挿入して保持せしめる手段である。この際従来の靴下の材料と同じ様な材料を用いて靴下を２重底とする。なおこの際この２重底は靴下のかかとの方に開口部を設け、ここから上記材料（２）を挿入するのが良い。
【００１０】
本考案に於いては、直接靴下の底面に材料（２）を貼布する場合や、２重底の間に材料（２）を挿入するいずれの手段に於いても、上方に向かって折り曲げる所謂「カエシ」を設けることも出来る。
【００１１】
本考案に於いて、この材料（２）としては原則として通常の靴下の材料に比し、若干形状保持性の大きい材料であれば広く各種の材料が使用出来るが、好ましい代表例として、通常の足袋生地から成るもの、従来から使用されて来た各種の靴の下敷、不織布（フエルト）、各種発砲体等からなるものを例示出来、また各種ゴム製材料も使用出来る。
この際の材料（２）自体は通常１〜１０ｍｍ程度、好ましくくは２〜５ｍｍ程度の厚みであるが、親指が当たる部分や骨が出た部分を他の部分より若干薄くすることが更に好ましい。
【００１２】
本考案のもつ１つの特徴は、靴下の土踏まずに相当する部分（３）から若干ずれた部分（５）に補強材（４）を靴下の底面に設けることである。
【００１３】
この補強材（４）はこれ自体でも良肢位の保持、痛みの緩和、足の形状の変形をかなり有効に防止出来るが、靴下の底面に設けられた形状保持性の優れた材料（２）と相協力して極めて優れた上記各種作用を発揮する。
【００１４】
この補強材（４）を設ける場所はたとえば図３に示す様な部分、（Ａ）、（Ｂ）及び（Ｃ）を特に好ましく例示出来る。
【００１５】
この補強材（４）は靴下の外側ばかりでなく靴下の内側に設けても良い。
【００１６】
この補強材（４）の材質は、たとえば好ましいものとして、ＥＶＡ（たとえば商品名「エバーコルク」）、ウレタンポリマー（同、商品名「ＰＰＴ」）、ポリエチレン（同、商品名「サンペルカ」）、ポリアミド（８６％）とスパンテックス（１４％）との混合材料（同、商品名「オペロン」）、ポリカーボネート（同、商品名「レノクレックス」）、発砲ゴム（同、「エバーソフト」）、ポリエステル（同、商品名「バイオガード」）等の少なくとも１種を主成分としたものを例示出来る。
【００１７】
本考案に於いて使用する靴下としては、上記材料（２）及び補強材（４）以外は、従来から知られている靴下及びその材質と同じものを広く使用出来、ソックスばかりでなくパンティストッキグ等も含まれる。更に若干詳しく説明すると以下の通りである。靴下としては足先が５本の指毎に５つにわれたもの（この際２重底の場合は、両方共がわれたものばかりでなく、内側だけがわれたものも含む）や、親指と他の４本の指とが別れている２つ割れのもの（従来の足袋の様な形状のもの）、所謂シークレットソックス（背を高く見せるためにかかと部分を高くしたもの）等を例示出来る。
【００１８】
本考案の靴下には、甲の部分に、更に他の材料をはりつけることが出来、また靴下の適当な部分にジッパーを設けて、着脱を容易とすることも出来る。更には靴下の周囲全面にわたってたちあげを設けても良い。
【考案の効果】
【００１９】
本考案の靴下は、良肢位の保持、痛みの緩和、及び足の形状の変形を有効に防止出来、更に場合によっては外反母趾をも有効に防止出来る。
【考案を実施するための最良の形態】
【００２０】
以下に実施例を挙げて本発明を更に詳しく説明する。
【実施例１】
【００２１】
若干形状保持性の優れた材料（２）として従来の足袋（たび）生地を使用し、これを通常のソックスの底面の内側に貼布し、更にこの材料（２）の内側に補強材（４）として「エバーコルク」、「ＰＰＴ」、「サンペルカ」の三層からなる材料を使用したものを図３に示す（Ａ）の場所に貼布して靴下を製造した。
【実施例２】
【００２２】
上記形状保持性の優れた材料（２）として通常の靴の下敷を用い、且つ靴下の底面を２重底として、その間に上記材料（２）を挿入し、且つ補強材（４）として上記と同様のものを使用し、その場所として（Ｂ）を採用し、その他は実施例１と同様に処理して靴下を製造した。
【図面の簡単な説明】
【００２３】
【図１】図１は本考案の靴下の一例を示す説明図である。
【図２】図２は本考案の靴下の一例の底面を示す説明図である。
【図３】図３は本考案で使用する補強剤の設置場所の一例を示す説明図である。
【符号の説明】
【００２４】
１・・・靴下
２・・・若干形状保持性の優れた材料
３・・・土踏まずに相当する部分
４・・・補強材
５・・・補強材を設置しても良い場所
６・・・靴下の底面部
【図１】
0003107953.tif 000003
【図２】
0003107953.tif 000004
【図３】
0003107953.tif 000005